(57)【要約】【課題】漏水を抑えつつ、合成樹脂製の枠材に設けられた補強部材と躯体とを連結可能な建具を提供する。【解決手段】屋内外の境界にて開口を形成する躯体に取り付けられ、中空部を有する合成樹脂製の枠材と、中空部内に設けられた金属製の補強部材と、枠材の外周側に設けられ補強部材と接合される補強部材接合部及び躯体と接合される躯体接合部とを有し、補強部材と躯体とを連結する連結部材と、を備え、枠材は、躯体接合部を収容する躯体側収容部を備え、躯体との間にて躯体接合部とともに屋外側から躯体に固定される固定部と、固定部より屋内側に配置される連結部材の補強部材接合部及び補強部材接合部と補強部材とを接合するねじの頭部を収容する補強部材側収容部と、を有し、補強部材側収容部は、枠材が前記躯体に当接される部位より躯体と反対側に窪ませて設けられている。【選択図】図３
2014114625.tif 000002
【特許請求の範囲】
【請求項１】
屋内外の境界にて開口を形成する躯体に取り付けられ、中空部を有する枠材と、
前記枠材の前記中空部内に設けられた不燃性または難燃性の補強部材と、
前記枠材の外周側に設けられ前記補強部材と接合される補強部材接合部及び前記躯体と接合される躯体接合部とを有し、前記補強部材と前記躯体とを連結する不燃性または難燃性の連結部材と、
を備え、
前記枠材は、
前記躯体接合部を収容する躯体側収容部を備え、前記躯体との間にて前記躯体側収容部に収容された前記躯体接合部とともに屋外側から前記躯体に固定される固定部と、
前記固定部より屋内側に配置される前記連結部材の前記補強部材接合部及び前記補強部材接合部と前記補強部材とを接合するねじの頭部を収容する補強部材側収容部と、を有し、
前記補強部材側収容部は、前記枠材が前記躯体に当接される部位より前記躯体と反対側に窪ませて設けられていることを特徴とする建具。
【請求項２】
請求項１に記載の建具であって、
前記躯体接合部は、前記躯体側に突出することなく前記躯体側収容部に収容されることを特徴する建具。
【請求項３】
請求項１または請求項２に記載の建具であって、
前記補強部材側収容部は、前記躯体が形成する前記開口の中央側に窪ませて設けられていることを特徴とする建具。
【請求項４】
請求項１乃至請求項３のいずれかに記載の建具であって、
前記連結部材の幅は、前記躯体接合部が収容される前記躯体側収容部の幅より狭いことを特徴とする建具。
【請求項５】
請求項１乃至請求項４のいずれかに記載の建具であって、
前記補強部材接合部と前記補強部材との間には、前記枠材の、前記中空部を形成する板状の部位が挟持されていることを特徴とする建具。
【発明の詳細な説明】
【技術分野】
【０００１】
本発明は、屋内外の境界にて開口を形成する躯体に取り付けられる枠材を有する建具に関する。
【背景技術】
【０００２】
従来、屋内外の境界にて開口を形成する躯体に取り付けられる枠材を有する建具は、躯体に固定されている枠材が、溶融されやすい例えば合成樹脂製の場合には、万一火災などにより加熱されたときに溶融して外れ落ちるおそれがある。このため、例えば、枠材が備える中空部に難燃性や金属製等の補強部材を設け、躯体と補強部材とを連結する部材を設けた防火性樹脂サッシが知られている(例えば、特許文献１参照)。このようなサッシでは、枠材を躯体に固定する際に、躯体と補強部材とにそれぞれビスにて接合されるＬ字形断面の部材を用い、このＬ字形断面の部材を枠材の、躯体に固定される部位の外側（躯体と反対側）に宛がって、それらを貫通するねじにて躯体に固定している。このため、Ｌ字形断面の部材と補強部材とも躯体に固定される部位の外側（躯体と反対側）にて固定されている。
【先行技術文献】
【特許文献】
【０００３】
【特許文献１】特開２０１１−６３９３０号公報
【発明の概要】
【発明が解決しようとする課題】
【０００４】
上記のようなサッシは、躯体と補強部材とを連結するＬ字形断面の部材が、躯体と反対側に配置されているので、補強部材とＬ字形断面の部材とを固定するねじが躯体より外側に配置され外部に晒される。このため、補強部材とＬ字形断面の部材とを固定するねじの螺合部から雨水等が室内側に漏水しやすいという課題がある。
【０００５】
このため、Ｌ字形断面の部材を躯体側に配置することも考えられるが、躯体と補強部材とを連結するＬ字形断面の部材は、枠材の全域に設けられている必要はなく、ねじが螺合可能な幅を有していればよいが、枠材より狭い幅の部材を枠材と躯体との間に介在させると、枠材と躯体との間に隙間が生じ、よりと漏水しやすくなるという課題がある。
【０００６】
本発明は、かかる課題に鑑みてなされたものであり、その目的とするところは、枠材に設けられた補強部材と躯体とを連結する連結部からの漏水が生じにくい建具を提供することにある。
【課題を解決するための手段】
【０００７】
かかる目的を達成するために本発明の建具は、屋内外の境界にて開口を形成する躯体に取り付けられ、中空部を有する枠材と、前記枠材の前記中空部内に設けられた不燃性または難燃性の補強部材と、前記枠材の外周側に設けられ前記補強部材と接合される補強部材接合部及び前記躯体と接合される躯体接合部とを有し、前記補強部材と前記躯体とを連結する不燃性または難燃性の連結部材と、を備え、前記枠材は、前記躯体接合部を収容する躯体側収容部を備え、前記躯体との間にて前記躯体側収容部に収容された前記躯体接合部とともに屋外側から前記躯体に固定される固定部と、前記固定部より屋内側に配置される前記連結部材の前記補強部材接合部及び前記補強部材接合部と前記補強部材とを接合するねじの頭部を収容する補強部材側収容部と、を有し、前記補強部材側収容部は、前記枠材が前記躯体に当接される部位より前記躯体と反対側に窪ませて設けられていることを特徴とする建具である。  
このような建具によれば、枠材の中空部に設けられた補強部材と躯体とを連結する連結部材が、固定部より屋内側に配置されており、補強部材と連結部材の補強部材接合部とを固定するねじが屋内側に配置されるので、補強部材と補強部材接合部とを固定するねじの螺合部から漏水することを防止することが可能である。また、固定部に設けられた躯体側収容部に躯体接合部が収容されて躯体に固定されるので、固定部と躯体との間に隙間が生じにくい。このため、固定部と躯体との間における漏水も防止することが可能である。このため、合成樹脂製の枠材に設けられた補強部材と躯体とを連結する連結部からの漏水が生じにくい建具を提供することが可能である。
【０００８】
かかる建具であって、前記躯体接合部は、前記躯体側に突出することなく前記躯体側収容部に収容されることが望ましい。  
このような建具によれば、躯体接合部が躯体側収容部から躯体側に突出していないので、固定部が躯体に固定されるときには、固定部が躯体に当接される。このため、固定部と躯体との間における漏水をより確実に防止することが可能である。
【０００９】
かかる建具であって、前記補強部材側収容部は、前記躯体が形成する前記開口の中央側に窪ませて設けられていることが望ましい。  
このような建具によれば、補強部材側収容部が、躯体が形成する開口の中央側、すなわち、開口の上側の枠材では、下方に窪ませて補強部材側収容部が形成されている。この補強部材側収容部は、固定部が躯体に固定されている部位より屋内側には位置されるので、たとえ、固定部と躯体との間から屋内側に漏水が生じたとしても、補強部材側収容部に水を留めることが可能である。このため、屋内側により漏水しにくい建具を提供することが可能である。
【００１０】
かかる建具であって、前記連結部材の幅は、前記躯体接合部が収容される前記躯体側収容部の幅より狭いことが望ましい。  
このような建具によれば、躯体接合部は、固定部に設けられた躯体側収容部に収容されるので、たとえ、連結部材の幅が躯体側収容部の幅より狭くても固定部と躯体との間に隙間は生じない。このため、連結部材の幅を狭くすることにより、建具の重量を軽減することができるとともにコストも低減することが可能である。
【００１１】
かかる建具であって、前記補強部材接合部と前記補強部材との間には、前記枠材の、前記中空部を形成する板状の部位が挟持されていることが望ましい。  
このような建具によれば、補強部材接合部と補強部材との間には、枠材の、板状の部位が存在するだけなので、補強部材接合部と補強部材とをより強固に接合し、枠材をより確実に躯体に保持することが可能である。
【発明の効果】
【００１２】
本発明によれば、枠材に設けられた補強部材と躯体とを連結する連結部からの漏水が生じにくい建具を提供することが可能である。
【図面の簡単な説明】
【００１３】
【図１】本実施形態に係る建具を示す縦断面図である。
【図２】本実施形態に係る建具を示す横断面図である。
【図３】上枠周辺の納まりを示す縦断面図である。
【図４】上枠に取り付けられる連結金具を屋内側から見た斜視図である。
【図５】連結金具が取り付けられた上枠を屋外側から見た斜視図である。
【図６】連結金具及び外周凹部の第１変形例を示す縦断面図である。
【図７】連結金具及び外周凹部の第２変形例を示す縦断面図である。
【発明を実施するための形態】
【００１４】
以下、本発明の一実施形態に係る建具について図面を参照して説明する。
【００１５】
本実施形態では、二つの空間としての屋内空間及び屋外空間の境界に設けられ、図１、図２に示すような開閉不能なＦＩＸ窓用の建具１を例に挙げて説明する。
【００１６】
本実施形態のＦＩＸ窓用の建具１は、屋内外の境界に開口２ａを形成する躯体２に取り付けられる合成樹脂製の枠材１０と、枠材１０に取り付けられる複層ガラス３と、枠材１０に設けられた不燃性である鉄製の補強部材１５と、躯体２と補強部材１５とを連結する不燃性の連結部材としての鉄製の連結金具３０とを有している。
【００１７】
以下の説明においては、躯体２の取り付けられた建具１を屋内側から見たときに、上下となる方向を上下方向、左右となる方向を左右方向または見付け方向、屋内外方向である奥行き方向を見込み方向として示す。また、建具１を構成する各部材については、枠材１０の面内方向において開口２ａの中央側を内周側、開口２ａの外側を外周側として示す。
【００１８】
枠材１０は、同一の断面形状をなす合成樹脂製の４本の押し出し成形部材が上下一対の横材１１、１２と左右一対の縦材１３をなし、矩形状に枠組みされている。上下の横材１１、１２と左右の縦材１３は、各々所定の長さにて端部が４５度に切断され、互いに突き合わされて溶着されている。
【００１９】
上下の横材１１、１２及び左右の縦材１３は、枠組みされた状態にて各々互いに対向する面１１ａ、１２ａ、１３ａを有する内周面部１１ｂ、１２ｂ、１３ｂを有しており、上下の横材１１、１２及び左右の縦材１３の内周面部１１ｂ、１２ｂ、１３ｂに囲まれた領域に複層ガラス３が配置される。
【００２０】
上下の横材１１、１２及び左右の縦材１３は、同一の断面形状をなす押出成形部材なので、ここでは、各横材１１、１２及び各縦材１３の構造について、主に上の横材(以下、上枠ともいう)１１を例に挙げて説明する。また、図面においては、下の横材１２及び左右の縦材１３において上枠１１と同一の部位には、各々下の横材１２及び各縦材１３を示す番号の後に同一のアルファベット添えた符号を付して示すものとする。
【００２１】
上枠１１は、内周面部１１ｂの屋内側にて内周面部１１ｂより内周側に向かって延出され、先端にシール材５０が設けられて複層ガラス３における屋内側面３ａの外周端部３ｂと対向する一面対向部１１ｃが設けられている。また、内周面部１１ｂは、屋内側に延出されており、一面対向部１１ｃより屋内側に位置する部位は、枠材１０が躯体２に取り付けられた状態で、床材や額縁などの内装材４の端部を覆う内装材カバー部１１ｄをなしている。
【００２２】
上枠１１の内周面部１１ｂの上側は、図３に示すように、一面対向部１１ｃの上側(外周側)に位置する屋内側中空部１１ｅと、屋内側中空部１１ｅの屋外側に位置する屋外側中空部１１ｆとが設けられている。すなわち上枠１１は、内周面部１１ｂにおいて一面対向部１１ｃの屋内側の端及び屋外側の端となる位置から上方に延出された屋内壁部１１ｇ及び屋外壁部１１ｈの上端同士を繋ぐ先端面部１１ｉにて屋内側中空部１１ｅが形成されており、屋外壁部１１ｈの屋外側にて屋外壁部１１ｈと見込み方向において対向する屋外側対向部１１ｊと、内周面部１１ｂの上側、すなわち、枠材１０の外周側にて対向する外周対向部１１ｋとにて屋外側中空部１１ｆが形成されている。
【００２３】
屋外側中空部１１ｆの下面を形成する内周面部１１ｂの屋外側の端には、上方すなわち屋外側中空部１１ｆ内に窪み、複層ガラス３の上端部を屋外側から支持する押縁５が嵌合される嵌合凹部１１ｑが設けられている。
【００２４】
外周対向部１１ｋの上面には、屋外側中空部１１ｆの見込み方向におけるほぼ中央から上方に延出されヒレ状をなして上枠１１を躯体２にねじ止めするための固定部１１ｌが設けられている。固定部１１ｌは、上端部１１ｍを除いて屋内側が窪まされて上端部１１ｍより薄肉に形成されている。固定部１１ｌにおいて窪まされている部位が、連結金具３０の後述する躯体接合部３１が収容される躯体側収容部１１ｎをなしている。また固定部１１ｌには、屋外側から皿ねじ４０が挿通され、図４に示すように、屋外側面に皿もみ１１ｒが施された挿通穴１１ｐが、上枠１１の長手方向に適宜間隔を隔てて設けられている。
【００２５】
屋外側中空部１１ｆをなす外周対向部１１ｋは、固定部１１ｌより屋内側の部位が、固定部１１ｌより屋外側の部位より下に位置している。このとき、固定部１１ｌより屋外側の部位は、屋内側中空部１１ｅの先端面部１１ｉと同一水平面を形成しているので、外周対向部１１ｋの固定部１１ｌより屋内側の部位が躯体２の反対側となる屋外側中空部１１ｆの内側、すなわち下方に窪ませて形成されており、枠材１０の外周の部位が内周側に窪む外周凹部１１ｏをなしている。外周対向部１１ｋにおいて、外周凹部１１ｏの下面をなす部位には、長手方向に適宜間隔を隔てて連結金具３０と補強部材１５とを接合するためのバインドねじ４１が貫通する貫通穴(不図示)が設けられている。
【００２６】
補強部材１５は、内周面部１１ｂ及び外周対向部１１ｋとそれぞれ対向する下対向板部１５ａ及び上対向板部１５ｂが、下対向板部１５ａ及び上対向板部１５ｂの屋内側の端部同士が繋がた断面コ字状をなしている。下対向板部１５ａと上対向板部１５ｂとは、屋外側中空部１１ｆに補強部材１５が挿入されたときに、屋外側中空部１１ｆをなす内周面部１１ｂと外周対向部１１ｋの間にて内周面部１１ｂの上面及び外周凹部１１ｏの下面と近接または接触するように設けられている。補強部材１５の上対向板部１５ｂには、連結金具３０と接合するためのバインドねじ４１が螺合されるねじ孔(不図示)が、長手方向に適宜間隔を隔てて設けられている。
【００２７】
各横材１１、１２及び各縦材１３に設けられた補強部材１５には、複層ガラス３を保持するための金属製の保持金具３８が内周面部１１ｂ、１２ｂ、１３ｂを介してねじ止めされている。また、各横材１１、１２及び各縦材１３の内周面部１１ｂ、１２ｂ、１３ｂには、保持金具３８が取り付けられた状態にて、シート状の膨張性黒鉛５１が長手方向の全域に設けられている
連結金具３０は、図５に示すように、断面がＬ字形状をなすステンレス製の部材であり、Ｌ字の二方向に向かう２つの板部の一方が、躯体２と接合される躯体接合部３１であり、他方が補強部材１５と接合される補強部材接合部３２である。躯体接合部３１には、躯体２に螺合させる皿ねじ４０が貫通し、連結金具３０が上枠１１に配置されたときに、上枠１１の長手方向に長くなるように形成された長孔３１ａが設けられており、補強部材接合部３２には、補強部材１５に螺合させるねじが貫通する丸孔３２ａが設けられている。本実施形態の連結金具３０は、ステンレス製の板材に曲げ加工を施して形成されており、その板厚は、上枠１１の固定部１１ｌに設けられた躯体側収容部１１ｎの窪み量より薄い部材にて形成されている。
【００２８】
連結金具３０は、補強部材接合部３２を外周凹部１１ｏに挿入し、補強部材接合部３２の丸孔３２ａ及び外周凹部１１ｏの貫通穴を貫通したバインドねじ４１が補強部材１５に螺合されたときに、躯体接合部３１の長孔３１ａと固定部１１ｌの挿通穴１１ｐとの位置が一致するように構成されている。
【００２９】
本実施形態の建具１は、上下の横材１１、１２と左右の縦材１３とにそれぞれ補強部材１５が挿入されて矩形状に枠組みされ、複層ガラス３が補強部材１５に固定された保持金具３８に保持されて押縁５が取り付けられた状態に躯体２に取り付けられる。このとき、上枠１１には、連結金具３０の躯体接合部３１が固定部１１ｌの躯体側収容部１１ｎに収容されるとともに、補強部材接合部３２が外周凹部１１ｏに収容されてバインドねじ４１にて補強部材１５と接合されている。この状態では、バインドねじ４１の頭部４１ａは外周凹部１１ｏ内に収容されており、先端面部１１ｉより上方には突出していない。すなわち、外周凹部１１ｏが補強部材接合部３２及び補強部材１５を接合するバインドねじ４１の頭部４１ａを収容する補強部材側収容部に相当する。
【００３０】
そして、固定部１１ｌの躯体側収容部１１ｎに連結金具３０の躯体接合部３１が収容された建具１が、上下の横材１１、１２と左右の縦材１３の固定部１１ｌ、１２ｌ、１３ｌを屋外側から躯体２に当接させて皿ねじ４０にて躯体２に取り付けられる。また、枠材１０の内装材カバー部１１ｄ、１２ｄ、１３ｄも、開口２ａの内周側から外周側に向かって進入する皿ねじ４０にて、床材や額縁などの内装材４を介して固定されている。
【００３１】
すなわち、枠材１０は、固定部１１ｌ、１２ｌ、１３ｌを固定する皿ビス４０の進入方向と、内装材カバー部１１ｄ、１２ｄ、１３ｄを固定する皿ビス４０の進入方向とがほぼ直交しているので、一方向に進入するねじのみにて固定される場合より強固に固定されている。
【００３２】
建具１が躯体２に固定された状態にて、連結金具３０は、上下の横材１１、１２と左右の縦材１３の各固定部１１ｌ、１２ｌ、１３ｌより屋内側に配置されている。また、連結金具３０の躯体接合部３１が躯体側収容部１１ｎに収容された状態にて躯体２に取り付けられるため、固定部１１ｌの上端部１１ｍが躯体２に、長手方向における全域にて当接される。
【００３３】
建具１が躯体２に取り付けられた後に、躯体２と固定部１１ｌ、１２ｌ、１３ｌとに跨り、かつ、長手方向における全域に渡って両面防水テープ３３を貼り付け、さらに透湿防水シート３４、胴縁３５、サイディング材３６、見切り縁３７等を設けるとともにバックアップ材４５及びシーリング４６を施して外壁を形成する。
【００３４】
本実施形態の建具１によれば、上枠１１の屋外側中空部１１ｆに設けられた補強部材１５と躯体２とを連結する連結金具３０が、固定部１１ｌより屋内側に配置されており、補強部材１５と連結金具３０の補強部材接合部３２とを固定するバインドねじ４１は、固定部１１ｌより屋内側に配置される。すなわち、連結金具３０の躯体接合部３１が固定部１１ｌの躯体側収容部１１ｎに収容されて躯体２にねじ止めされると、補強部材接合部３２は、躯体接合部３１よりさらに屋内側に配置される。このとき、躯体接合部３１の厚みは躯体側収容部１１ｎの窪み量より薄いので、躯体接合部３１が固定部１１ｌから躯体２側に吐出しないので、固定部１１ｌの上端部１１ｍが躯体２に長手方向のほぼ全域に渡って当接される。このため、躯体２と固定部１１ｌの上端部１１ｍとの間には隙間が生じにくいので、固定部１１ｌより屋内側には位置された補強部材１５と補強部材接合部３２とを接合しているバインドねじ４１の螺合部から屋内側への漏水を防止することが可能である。よって、合成樹脂製の枠材１０に設けられた補強部材１５と躯体２とを連結する連結部となるバインドねじ４１の螺合部からの漏水が生じにくい建具１を提供することが可能である。
【００３５】
また、上枠１１には、躯体２が形成する開口２ａの中央側、すなわち、下方側に窪ませて外周凹部１１ｏが形成されており、この外周凹部１１ｏは、固定部１１ｌが躯体２に固定されている部位より屋内側に配置される。このため、たとえば、サイディング材３６の内側に設けられた通気層にて結露が生じ、結露水が固定部１１ｌと躯体２との間から屋内側に漏水したとしても、上枠１１にて下方側に窪む外周凹部１１ｏにて水を留めることが可能である。このため、屋内側により漏水しにくい建具１を提供することが可能である。
【００３６】
また、躯体接合部３１は、固定部１１ｌ、１２ｌ、１３ｌに設けられた躯体側収容部１１ｎに収容されるので、たとえ、連結金具３０の幅が躯体側収容部１１ｎの幅より狭くても固定部１１ｌ、１２ｌ、１３ｌと躯体２との間に隙間は生じない。このため、連結金具３０の幅を狭くすることにより、建具１の重量を軽減することができるとともにコストも低減することが可能である。
【００３７】
また、連結金具３０の躯体接合部３１が固定部１１ｌの躯体側収容部１１ｎに収容されて躯体接合部３１が固定部１１ｌから躯体２側に吐出しないので、連結金具３０の幅が躯体側収容部１１ｎの幅より狭くても、上枠１１の固定部１１ｌを平坦な状態で躯体２の表面に沿わせることが可能である。このため、躯体２と固定部１１ｌとに跨り、かつ、長手方向における全域に渡って両面防水テープ３３を貼り付けた際には、両面防水テープ３３に浮きが生じ難い。このため、両面防水テープ３３を躯体２に隙間なく貼り付けることが可能なので、より防水性が高い状態で建具１を取り付けることが可能である。
【００３８】
また、補強部材接合部３２と補強部材１５との間には、枠材１０が有する外周対向部１１ｋの板状をなす部位が存在するだけなので、補強部材接合部３２と補強部材１５とをより強固に接合し、枠材１０をより確実に躯体２に保持することが可能である。
【００３９】
上記実施形態においては、外周対向部１１ｋの、固定部１１ｌより屋内側の部位が、固定部１１ｌより屋外側の部位より下に位置した外周凹部１１ｏが設けられている例について説明したが、これに限るものではない。例えば、図６に示すように、固定部１１ｌの屋内側に先端面部１１ｉと同一平面をなす段部を設け、段部１１ｓと先端面部１１ｉとの間に補強部材側収容部としての外周凹部１１ｏを設けても良い。この場合には、連結金具３０の形状は、固定部１１ｌの躯体側収容部１１ｎにて躯体２と対向する躯体接合部３１の下端から段部１１ｓ及び外周凹部１１ｏに繋がった形状となる。
【００４０】
また、補強部材側収容部としての外周凹部１１ｏを開口２ａの中央側に向かって窪ませた例について説明したが、図７に示すように、補強部材１５が収容される中空部１１ｔが固定部より屋外側に位置するような建具１の場合には、補強部材側収容部１１ｏを屋外側に窪ませて形成しても良い。
【００４１】
上記実施形態においては、複層ガラス３が開閉不能に枠部材に取り付けられたＦＩＸ窓用の建具１を例に挙げて説明したが、これに限らず、開閉可能な扉を備えた建具や見付け方向に移動可能な障子を備えた建具であっても構わない。
【００４２】
上記実施形態においては、面材を２枚の板ガラスを互いに間隔を隔てて対面させて一体に形成した複層ガラス３とした例について説明したが、面材は、１枚のガラス板であっても構わず、また、３枚以上の板ガラスを互いに間隔を隔てて対面させて一体に形成した複層ガラスであっても構わない。また、面材は、ガラスに限らず板状をなす内装材または外装材等であっても構わない。更に、枠材は面材を備えない、たとえばパネル材を構成する枠材であっても構わない。
【００４３】
また、上記実施形態においては、枠材１０を躯体２に固定するねじを皿ねじ４０とし、連結金具３０と補強部材１５とを接合するねじをバインドねじ４１としたが、これに限るものではない。
【００４４】
上記実施形態においては、枠材１０を合成樹脂製とし、補強部材及び連結部材を鉄製としたが、これに限らず、例えば、枠材が、軽量化及び低コスト化のために肉厚を薄くしたアルミニウム製の枠材など、加熱されたときに、補強部材及び連結部材をなす不燃材及び難燃材より溶融しやすい枠材であり、補強部材及び連結部材が、加熱されて枠材より溶融しにくい部材であれば構わない。
【００４５】
なお、補強部材は、不燃性の補強部材に限らず、火災によりまず表面が炭化し、炭化した表面の断熱効果により内部に燃え進むことを遅らせることが可能な、例えば、ＭＤＦ・木材等のような難燃性の補強部材であっても構わない。
【００４６】
また、連結金具（連結部材）３０を、不燃性である鉄製としたが、ステンレス等の不燃性である金属はもちろんのこと、燃焼に時間がかかる難燃性の部材にて構成しても構わない。
【００４７】
なお、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４８】
１  建具、２  躯体、２ａ  開口、１０  枠材、１１  横材(上枠)、
１１ｆ  屋外側中空部、１１ｇ  屋内壁部、１１ｈ  屋外壁部、１１ｋ  外周対向部、
１１ｌ  固定部、１１ｎ  躯体側収容部、１１ｏ  外周凹部（補強部材側収容部）、
１１ｔ  中空部、１２  下の横材、１３  左右の縦材、１５  補強部材、
３０  連結金具、３１  躯体接合部、３２  補強部材接合部、
３３  両面防水テープ、４１  バインドねじ、４１ａ  バインドねじの頭部
【図１】
2014114625.tif 000003
【図２】
2014114625.tif 000004
【図３】
2014114625.tif 000005
【図４】
2014114625.tif 000006
【図５】
2014114625.tif 000007
【図６】
2014114625.tif 000008
【図７】
2014114625.tif 000009